(57)【要約】【課題】本発明の目的は、光ファイバへの側圧を低減し、ワイヤーハーネスを設置するときの作業性を落とさないためのワイヤーハーネス保持体を提供することにある。【解決手段】ワイヤーハーネス保持体１０ａは、光ファイバ１２を保持する光ファイバ保持部１４、被覆電線１６を保持する電線保持部１８および光ファイバ保持部１４をワイヤーハーネス２０の中心に配置するための支持部２２を備える。光ファイバ１２に側圧がかからず、光ファイバ１２の周囲に被覆電線１６などが有るため、光ファイバ１２が保護される。【選択図】図１
2014176134.tif 000002
【特許請求の範囲】
【請求項１】
光ファイバと被覆電線とを束ねたワイヤーハーネスに用いるためのワイヤーハーネス保持体であって、
前記ワイヤーハーネスの中心で光ファイバを保持するための光ファイバ保持部と、
前記光ファイバ保持部の外周に配置された被覆電線を保持するための電線保持部と、
前記電線保持部から光ファイバ保持部までの間に設けられ、光ファイバ保持部をワイヤーハーネスの中心に配置するための支持部と、
を備えたワイヤーハーネス保持体。
【請求項２】
前記光ファイバ保持部と光ファイバとの間に隙間を設けた請求項１のワイヤーハーネス保持体。
【請求項３】
前記電線保持部から支持部を介して光ファイバ保持部へ繋がる空間を備えた請求項１または２のワイヤーハーネス保持体。
【請求項４】
前記電線保持部にスリットを設けた請求項１から３のいずれかのワイヤーハーネス保持体。
【請求項５】
前記被覆電線を結束するための結束部を備えた請求項１から４のいずれかのワイヤーハーネス保持体。
【発明の詳細な説明】
【技術分野】
【０００１】
本発明は、自動車などに光ファイバを含むワイヤーハーネスを敷設する際に用いるワイヤーハーネス保持体に関するものである。
【背景技術】
【０００２】
従来、自動車などに用いるワイヤーハーネスは複数の被覆電線で構成されていたが、近年の情報通信技術の進歩により、被覆電線と一緒に光ファイバも用いられるようになってきた。
【０００３】
しかし、光ファイバと被覆電線を結束バンド等で束ねて固定すると、被覆電線から光ファイバに対して側圧がかかる。側圧が大きくなると、光ファイバの光損失が大きくなる。そのため、光ファイバに側圧をかけずに束ねるための装置が必要である。
【０００４】
下記の特許文献１には、被覆電線から光ファイバにかかる側圧を低減させることを目的としたチューブを開示している。図１２（ａ）のように、ワイヤーハーネスの光ファイバと被覆電線を同時に保持するチューブ１００に、光ファイバを支持するガイド１０２が設けられている。ガイド１０２は、チューブ１００の内面に設けられる場合もあれば、外面に設けられる場合もある。ガイド１０２によって光ファイバを保持し、被覆電線からの側圧を防いでいる。
【０００５】
しかし、図１２（ｂ）のようにワイヤーハーネス１０４を曲げたとき、光ファイバ１２が最も内側に配置されると、曲げた部分における光ファイバ１２の曲率半径が小さくなる。光ファイバ１２にとって小さな曲率半径で曲げることは、光損失の原因になる。そのため、ワイヤーハーネス１０４を曲げるとき、光ファイバ１２が最も内側に配置されないことが好ましい。しかし、ワイヤーハーネス１０４を自動車に取り付ける作業において、光ファイバ１２の位置を確認しながらおこなうと、作業効率が低下し、好ましくない。
【先行技術文献】
【特許文献】
【０００６】
【特許文献１】特開２００２−３７２６５６号公報（明細書００１６等）
【発明の概要】
【発明が解決しようとする課題】
【０００７】
本発明の目的は、光ファイバへの側圧を低減し、ワイヤーハーネスを設置するときの作業性を落とさないためのワイヤーハーネス保持体を提供することにある。
【課題を解決するための手段】
【０００８】
本発明のワイヤーハーネス保持体は、光ファイバと被覆電線とを束ねたワイヤーハーネスに用いる。ワイヤーハーネス保持体は、前記ワイヤーハーネスの中心で光ファイバを保持するための光ファイバ保持部と、前記光ファイバ保持部の外周に配置された被覆電線を保持するための電線保持部と、前記電線保持部から光ファイバ保持部までの間に設けられ、光ファイバ保持部をワイヤーハーネスの中心に配置するための支持部とを備える。
【０００９】
前記光ファイバ保持部と光ファイバとの間に隙間を設ける。光ファイバが隙間によって側圧を受けないようにする。
【００１０】
前記電線保持部から支持部を介して光ファイバ保持部へ繋がる空間を備える。電線保持部の外周から空間を介して光ファイバを光ファイバ保持部に入れる。
【００１１】
前記電線保持部にスリットを設ける。スリットを介して電線保持部に電線を入れる。
【００１２】
前記被覆電線を結束するための結束部を備える。被覆電線を押圧しながら、被覆電線の状態を固定する。
【発明の効果】
【００１３】
本発明によると、光ファイバ保持部によって光ファイバへの側圧を防止している。光ファイバがワイヤーハーネスの中心に配置されるため、ワイヤーハーネスを曲げたときの光ファイバの曲率半径は、ワイヤーハーネスの平均になる。光ファイバの方向を気にすることなく、ワイヤーハーネスの設置作業をおこなうことができる。光ファイバの周囲に被覆電線が配置されるため、被覆電線によって障害物などから光ファイバを保護することができる。
【図面の簡単な説明】
【００１４】
【図１】本発明のワイヤーハーネス保持体を示す図であり、（ａ）はワイヤーハーネス保持体の斜視図であり、（ｂ）はワイヤーハーネス保持体をワイヤーハーネスの長さ方向から見た図である。
【図２】ワイヤーハーネスを示す図であり、（ａ）はワイヤーハーネスの斜視図であり、（ｂ）はワイヤーハーネス保持体に光ファイバと被覆電線を通したときの断面図である。
【図３】光ファイバ保持部と電線保持部の肉厚の違いを示す図である。
【図４】（ａ）はワイヤーハーネス保持体を複数個束ねた図であり、（ｂ）は複数個のワイヤーハーネス保持体を一体にした図である。
【図５】（ａ）は支持部にスリットを設けた図であり、（ｂ）は電線保持部に近づくほど空間が広がった図であり、（ｃ）は（ｂ）の電線保持部の外周に締結部材を巻いた図である。
【図６】（ａ）は電線保持部にスリットを設けた図であり、（ｂ）はスリットに閉塞部材を挿入した図であり、（ｃ）は電線保持部の一部を重ねた図である。
【図７】電線保持部に凹凸を設けた図である。
【図８】ワイヤーハーネス保持体をリング状にした図である。
【図９】バンド状のワイヤーハーネス保持体を示す図であり、（ａ）は側面図であり、（ｂ）は電線保持部を一周させた図であり、（ｃ）は光ファイバ保持部にスリットを設けた図である。
【図１０】電線保持体の外周に突起を設けた図であり、（ａ）は平面図、（ｂ）は正面図、（ｃ）は固定部に電線保持体を固定した図である。
【図１１】ワイヤーハーネス保持体の両端において、電線保持部から被覆電線にまたがるようにテープを配置した図である。
【図１２】（ａ）は従来のガイドを備えたチューブを示す図であり、（ｂ）は光ファイバを最も内側にしてワイヤーハーネスを曲げた図である。
【発明を実施するための形態】
【００１５】
本発明のワイヤーハーネス保持体について図面を使用して説明する。ワイヤーハーネスは光ファイバと被覆電線とを束ねたものである。光ファイバは、コアがクラッドで覆われ、さらに樹脂等で被覆されている。コアとクラッドはガラスまたはプラスチックのいずれであっても良く、クラッドよりもコアの屈折率が高い。被覆電線は、芯線が絶縁被覆で被覆されている。芯線は、アルミニウム系材料または銅系材料からなる素線を複数束ねたものである。芯線は、複数の素線を束ねず、１本であっても良い。絶縁被覆は、ハロゲンフリーのポリオレフィン系樹脂が挙げられる。
【実施例１】
【００１６】
図１、図２に示す本発明のワイヤーハーネス保持体１０ａは、光ファイバ１２を保持する光ファイバ保持部１４、被覆電線１６を保持する電線保持部１８および光ファイバ保持部１４をワイヤーハーネス２０の中心に配置するための支持部２２を備える。光ファイバ保持部１４と電線保持部１８は樹脂または金属で形成される。
【００１７】
光ファイバ保持部１４と電線保持部１８は筒状になっており、その中空部２４、２６を光ファイバ１２または被覆電線１６が通過し、それらを保持する。光ファイバ１２と被覆電線１６が保持されることにより、ワイヤーハーネス２０が形成される。
【００１８】
光ファイバ保持部１４は、外力によって変形しないことが好ましい。光ファイバ１２に対して光ファイバ保持部１４から側圧を掛けないためである。光ファイバ１２と光ファイバ保持部１４との間に隙間２８ができるようにする。光ファイバ保持部１４から光ファイバ１２に側圧を掛けないためである。なお、隙間２８が確保されるのであれば、光ファイバ保持部１４が多少変形しても良い。
【００１９】
被覆電線１６は、光ファイバ保持部１４の周囲に配置され、電線保持部１８によって保持される。電線保持部１８から被覆電線１６を押圧した状態にするのが好ましい。電線保持部１８が被覆電線１６を把持した状態になり、被覆電線１６に対して電線保持部１８の位置を固定するためである。電線保持部１８の位置が固定されるため、ワイヤーハーネス保持体１０ａの位置が固定される。また、上記のように光ファイバ保持体１０ａから光ファイバ１２に側圧を掛けないため、電線保持部１８から被覆電線１６に対して押圧し、被覆電線１６から光ファイバ保持部１４を押圧しても良い。被覆電線１６が光ファイバ保持部１４を押圧することによっても、被覆電線１６に対するワイヤーハーネス保持体１０ａの位置を固定することができる。ワイヤーハーネス２０の被覆電線１６などがばらけにくくなる。
【００２０】
電線保持体１８で被覆電線１６を押圧するために、電線保持体１８に柔軟性を持たせても良い。図２（ａ）のように、電線保持体１８の外周をテープなどの締結部材３０で巻き回し、電線保持部１８の内方に押圧することができる。締結部材３０は、テープ以外に締結バンドや紐なども挙げられる。自動車のフレームなどの固定物とワイヤーハーネス保持体１０ａとを締結部材３０で巻き回し、ワイヤーハーネス保持体１０ａを固定物に固定しても良い。
【００２１】
上記のように光ファイバ１２に側圧がかからない。また図２（ｂ）のように、光ファイバ１２と被覆電線１６の間に光ファイバ保持部１４を設けることによって、光ファイバ１２と被覆電線１６の間に空間３２を設けることができる。ワイヤーハーネス保持体１０ａの有る位置やその付近では被覆電線１６から光ファイバ１２に側圧がかからない。
【００２２】
光ファイバ保持部１４と電線保持部１６は同一材料で構成されても良い。例えば樹脂成形によって一体に形成する。図１（ｂ）のように、ワイヤーハーネス２０の長さ方向からワイヤーハーネス保持体１０ａを見ると、光ファイバ保持部１４よりも電線保持部１８が大きくなっている。同一材料で構成されても、光ファイバ保持部１４は変形しにくく、電線保持部１８は変形しやすい。また図３のように、光ファイバ保持部１４の肉厚を電線保持部１８の肉厚よりも厚くし、光ファイバ保持部１４が変形しにくく、電線保持部１８が変形しやすいようにしても良い。
【００２３】
支持部２２は、電線保持部１８の内面から中空部２６の中心に向けて配置される。支持部２２の先端に光ファイバ保持部１４が設けられる。電線保持部１８の中空部２６の中心に光ファイバ保持部１４が配置される。光ファイバ１２をワイヤーハーネス２０の中心に配置することができる。なお、光ファイバ保持部１４は電線保持部１８の中空部２６の完全な中心ではなく、多少中心からずれていても良い。
【００２４】
先ず光ファイバ保持部１４に光ファイバ１２を通し、次に電線保持部１８に被覆電線１６を通すことによってワイヤーハーネス２０が形成される。１本のワイヤーハーネス２０に使用されるワイヤーハーネス保持体１０ａの数は１つに限定されない。１本のワイヤーハーネス２０の複数の位置でワイヤーハーネス保持体１０ａを使用してもよい。また図４（ａ）のように、複数のワイヤーハーネス保持体１０ａをテープなどの締結部材３０で束ねて固定しても良い。図４（ｂ）のように、複数のワイヤーハーネス保持体１０ａが一体になっていても良い。
【００２５】
ワイヤーハーネス２０の長さ方向に対する垂直面を見た場合、中心から光ファイバ１２、光ファイバ保持部１４、被覆電線１６、電線保持部１８の順番で並べられる。上記のように光ファイバ１２に側圧がかからず、光ファイバ１２の周囲に被覆電線１６などが有るため、光ファイバ１２が保護される。
【００２６】
ワイヤーハーネス２０をどの方向に曲げても、光ファイバ１２の曲率半径はワイヤーハーネス２０の曲率半径の平均になる。ワイヤーハーネス２０における光ファイバ１２の位置を気にせずに作業できる。本発明は、従来のように最も内側に光ファイバ１２が配置されることはなく、最も小さな曲率半径にはならず、従来と比較して光損失が改善する。
【実施例２】
【００２７】
光ファイバ１２を電線保持部１８の外周から光ファイバ保持部１４に通すための空間を設けても良い。例えば、図５（ａ）のワイヤーハーネス保持体１０ｂのように、電線保持部１８の外周から支持部２２を通って光ファイバ保持部１４に繋がるスリット３４を設ける。スリット３４を押し広げて空間を形成し、光ファイバ１２を光ファイバ保持部１４まで通す。電線保持部１８の外周をテープなどの締結部材３０で巻き回すことにより、光ファイバ１２が光ファイバ保持部１４からスリット３４を通って抜け落ちるることはない。
【００２８】
また、図５（ｂ）のワイヤーハーネス保持体１０ｂ'のように、支持部２２を通過する空間３４'が広がっていても良い。光ファイバ１２を光ファイバ保持部１４に入れやすい。図５（ｃ）のように、テープなどの締結部材３０を電線保持部１８の外周に巻き回すと、空間３４'を通って光ファイバ１２が抜け落ちることはない。
【実施例３】
【００２９】
図６（ａ）のワイヤーハーネス保持体１０ｃのように、電線保持部１８にワイヤーハーネス２０の長さ方向にスリット３６を設けても良い。スリット３６を介して被覆電線１６を中空部２６に入れる。ワイヤーハーネス２０が長くなったときに、ワイヤーハーネス２０の途中にワイヤーハーネス保持体１０ｃを配置しやすい。なお、ワイヤーハーネス保持体１０ｃに、図５のスリット３４や空間３４'を支持部２２に設けても良い。
【００３０】
図６（ｂ）のように、スリット３６に閉塞部材３８を入れも良い。閉塞部材３８は両側方に凹部４０を有し、スリット３６を形成するエッジが凹部４０に入り込み、閉塞部材３８を挟み込む。エッジが凹部４０に入り込んでいるため、スリット３６から閉塞部材３８が抜けない。スリット３６から被覆電線１６を中空部２６に入れた後、閉塞部材３８でスリット３６を塞ぐ。閉塞部材３８によって、電線保持部１８を筒状に維持することができる。また閉塞部材３８によって、スリット３６のエッジによって作業中に怪我をしたり、被覆電線１６を傷つけることを防止できる。
【００３１】
また図６（ｃ）のように、スリット３６に閉塞部材３８を入れず、テープなどの締結部材３０で電線保持部１８の外周を巻き回しながら、内方に押圧したとき、電線保持部１８の一部が重なるようにしても良い。電線保持部１８の中空部２６が狭くなり、電線保持部１８が被覆電線１６を押圧する。被覆電線１６に対するワイヤーハーネス保持体１０ｃの位置を固定することができる。
【実施例４】
【００３２】
電線保持部１８の外周に凹凸を設けても良い。図７のワイヤーハーネス保持体１０ｄは、ワイヤーハーネス２０の長さ方向に凹凸４２が形成されている。いわゆるコルゲート管と同じ構造になっており、ワイヤーハーネス２０を曲げる位置に配置する。光ファイバ保持部も同様の凹凸を設けても良い。
【実施例５】
【００３３】
ワイヤーハーネス保持体１０ａの長さ方向に対する垂直面において、光ファイバ保持部１４と電線保持部１８の断面形状は円形に限定されない。楕円形や方形などであっても良い。
【００３４】
光ファイバ保持部１４の内面にクッションを設けても良い。クッションによって光ファイバ１２への側圧を防止する。光ファイバ保持部１４の内面の全体にクッションを設けても良いし、一部に設けても良い。クッションの形状や大きさは限定されない。
【００３５】
また、電線保持部１８の内面に滑り止めを設けても良い。滑り止めが被覆電線１６に接することによって、被覆電線１６に対して電線保持部１８を固定する。滑り止めは電線保持部１８の内面全体に設けても良いし、一部に設けても良い。滑り止めの形状や大きさは限定されない。また、光ファイバ保持部１４の外面や支持部２２に滑り止めを設けても良い。
【実施例６】
【００３６】
ワイヤーハーネス２０の長さ方向において、光ファイバ保持部１４と電線保持部１８の長さは任意である。図１などは光ファイバ保持部１４と電線保持部１８は筒状になっていたが、図８のワイヤーハーネス保持体１０ｅのように、光ファイバ保持部１４と電線保持部１８の長さを短くして、リング状にしても良い。
【実施例７】
【００３７】
図９（ａ）、（ｂ）のワイヤーハーネス保持体１０ｆのように、バンド状になった電線保持部１８'を一周させることによって被覆電線１６を保持するようにしても良い。電線保持部１８'には被覆電線１６を束ねて固定するための結束部４４が設けられている。結束部４４は、電線保持部１８'の一端付近に形成された突起４６、電線保持部１８'が通過する貫通穴４８を備えた固定部５０、固定部５０の内面に形成され、突起４６を停止させる引っ掛け部５２を備える。電線保持部１８を一周させ、貫通穴４８に通過させる。電線保持部１８が貫通穴４８を一度通過すると、突起４６が引っ掛け部５２に引っ掛かり、電線保持部１８'が貫通穴４８から抜けなくなる。また、電線保持部１８'に支持部２２が接続されており、支持部２２の先端に光ファイバ保持体１４が設けられている。
【００３８】
光ファイバ保持体１４に光ファイバ１２を通し、光ファイバ保持体１４の周囲に被覆電線１６を配置し、被覆電線１６の周囲に電線保持体１８'を一周させる。電線保持体１８'から被覆電線１６を押圧するまで電線保持体１８'の先端を貫通穴４８に通す。電線保持体１８'が所望のリング形状になると同時に、ワイヤーハーネス２０が形成される。
【００３９】
図９（ｃ）のように、光ファイバ保持体１４の任意の箇所にスリット５４を設けても良い。スリット５４を押し広げて光ファイバ保持体１４の中空部２４に光ファイバ１２を入れることができる。ワイヤーハーネス２０が長くなったとき、その途中にワイヤーハーネス保持体１０ｆを取り付けるときに、光ファイバ１２の一端から光ファイバ保持体１４の中空部２４に光ファイバ１２を通す必要が無く、作業が容易になる。
【実施例８】
【００４０】
図１０（ａ）、（ｂ）に示すワイヤーハーネス保持体１０ｇのように、電線保持部１８の外周に取り付け用の突起５６を設けても良い。突起５６には引っ掛け用の爪部５８が設けられている。図１０（ｃ）のように、フレームなどの固定物６０などに開口を設けておき、開口に突起５６を挿入すると、爪部５８が開口を形成するエッジに引っかかる。簡単にワイヤーハーネス保持体１０ｇを固定物６０に固定することができる。突起５６は、結束部材３０を配置しない位置に設ける。
【実施例９】
【００４１】
電線保持部１８が被覆電線１６を押圧することにより、被覆電線１６に対する電線保持部１８の位置を固定した。図１１のワイヤーハーネス保持体１０ｈように、テープ３０'を電線保持体１８と被覆電線１６をまたがるように配置し、被覆電線１６に対する電線保持部１８の位置を固定しても良い。電線保持部１８が被覆電線１６を押圧する必要はない。
【００４２】
その他、本発明は、その主旨を逸脱しない範囲で当業者の知識に基づき種々の改良、修正、変更を加えた態様で実施できるものである。各実施例は独立的または排他的なものではなく、適宜組み合わせて実施しても良い。
【符号の説明】
【００４３】
１０ａ、１０ｂ、１０ｃ、１０ｄ、１０ｅ、１０ｆ、１０ｇ、１０ｈ：ワイヤーハーネス保持体
１２：光ファイバ
１４：光ファイバ保持部
１６：被覆電線
１８、１８'：電線保持体
２０：ワイヤーハーネス
２２：支持部
２４、２６：中空部
２８：隙間
３０：結束部材
３２：空間
３４、３６、５４：スリット
３８：閉塞部材
４０：凹部
４２：凹凸
４４：結束部
４６：突起
４８：固定部
５０：貫通穴
５２：引っ掛け部
５４：突起
５８：爪部
６０：固定物
【図１】
2014176134.tif 000003
【図２】
2014176134.tif 000004
【図３】
2014176134.tif 000005
【図４】
2014176134.tif 000006
【図５】
2014176134.tif 000007
【図６】
2014176134.tif 000008
【図７】
2014176134.tif 000009
【図８】
2014176134.tif 000010
【図９】
2014176134.tif 000011
【図１０】
2014176134.tif 000012
【図１１】
2014176134.tif 000013
【図１２】
2014176134.tif 000014